(57)【要約】【課題】片手でも、安定した姿勢で移動操作を行うことができる放射線照射器を提供する。【解決手段】Ｘ線照射器１５は、本体部１９の下端部に本体部１９を移動する際に把持される第１バーハンドル２６を有している。第１バーハンドル２６は、本体部１９の正面１９Ａの上下方向と直交する幅方向に延びる第１バー部２６Ａを有している。第１バー部２６Ａには、本体部１９の移動を規制するロック機構に対して、ロックを解除するロック解除指示を入力する第１スイッチ２７が設けられている。【選択図】図５
0003203885.tif 000002
【実用新案登録請求の範囲】
【請求項１】
放射線を照射する放射線照射器において、
支柱に移動自在に取り付けられる本体部であって、前記支柱への取り付け部が設けられる背面と、前記背面と対向する正面と、前記背面および前記正面のそれぞれの一端と接続し、前記放射線を照射する照射開口が設けられる照射面とを有する本体部と、
前記本体部において前記照射面を下面とした場合に、前記正面において前記照射面と接続する下端部に設けられ、前記本体部を移動する際に把持される第１バーハンドルであって、前記正面の上下方向と直交する幅方向に延びる第１バー部と、前記第１バー部の端部と前記下端部とを繋ぐ１組の連結部とで構成される第１バーハンドルと、
前記本体部の移動を規制するロック機構に対して、ロックを解除するロック解除指示を入力する第１スイッチとを有し、
前記第１スイッチは、前記第１バー部、前記１組の連結部および前記下端部によって囲われる第１開口部、もしくは、前記第１バー部に配置されている放射線照射器。
【請求項２】
前記第１スイッチは、前記第１バー部において、前記幅方向の中心線に対して線対称に配置される請求項１に記載の放射線照射器。
【請求項３】
前記第１スイッチは、前記第１バー部の全長に渡って配置されている請求項２に記載の放射線照射器。
【請求項４】
前記本体部の移動は、前記上下方向に移動する上下移動を少なくとも含み、
前記第１スイッチは、前記ロック機構に対して、少なくとも上下方向の移動のロックを解除する上下ロック解除指示を入力する請求項１〜３のいずれか１項に記載の放射線照射器。
【請求項５】
前記第１バー部は、前記連結部が接続された前記下端部を基点として前記支柱から離間する方向に突出した位置に配置されている請求項１〜４のいずれか１項に記載の放射線照射器。
【請求項６】
前記本体部において、前記正面から見て左右の各側面のそれぞれに設けられる第２バーハンドルを備えている請求項１〜５のいずれか１項に記載の放射線照射器。
【請求項７】
前記第２バーハンドルは、前記上下方向に延びる第２バー部と、前記第２バー部の端部と前記側面とを繋ぐ１組の連結部とで構成されている請求項６に記載の放射線照射器。
【請求項８】
前記ロック機構に対して、ロックを解除するロック解除指示を入力する第２スイッチを有し、
前記第２スイッチは、前記第２バー部、前記１組の連結部および前記側面によって囲われる第２開口部、もしくは、前記第２バー部に配置されている第２スイッチを備えている請求項７に記載の放射線照射器。
【請求項９】
前記本体部の移動は、前記上下方向に移動する上下移動と、前記正面と前記背面を結ぶ前後方向に沿った前後軸回りに回転する回転移動とを含み、
前記第１スイッチおよび前記第２スイッチは、それぞれ、前記ロック機構に対して、前記上下移動のロックを解除する上下ロック解除指示、および／または前記回転移動のロックを解除する回転ロック解除指示を入力するスイッチである請求項８に記載の放射線照射器。
【請求項１０】
前記第１スイッチは、前記上下ロック解除指示のみを入力するスイッチであり、
前記第２スイッチは、１回の操作によって、前記上下ロック解除指示および前記回転ロック解除指示の両方を入力するスイッチである請求項９に記載の放射線照射器。
【請求項１１】
前記第１スイッチは、操作に応じて、前記上下ロック解除指示のみが入力される第１状態、前記回転ロック解除指示のみが入力される第２状態、前記上下ロック解除指示および前記回転ロック解除指示の両方が入力される第３状態の少なくとも３つの状態を選択的に切り替えるスイッチであり、
前記第２スイッチは、１回の操作によって、前記上下ロック解除指示および前記回転ロック解除指示の両方を入力するスイッチである請求項９に記載の放射線照射器。
【請求項１２】
前記第１スイッチおよび前記第２スイッチは、それぞれ、１回の操作によって、前記上下ロック解除指示および前記回転ロック解除指示の両方を入力するスイッチである請求項９に記載の放射線照射器。
【請求項１３】
前記第１スイッチおよび前記第２スイッチは、それぞれ、操作に応じて、前記上下ロック解除指示のみが入力される第１状態、前記回転ロック解除指示のみが入力される第２状態、前記上下ロック解除指示および前記回転ロック解除指示の両方が入力される第３状態の少なくとも３つの状態を選択的に切り替えるスイッチである請求項９に記載の放射線照射器。
【請求項１４】
前記第１スイッチは、前記上下ロック解除指示のみを入力するスイッチであり、
前記第２スイッチは、それぞれ、操作に応じて、前記上下ロック解除指示のみが入力される第１状態、前記回転ロック解除指示のみが入力される第２状態、前記上下ロック解除指示および前記回転ロック解除指示の両方が入力される第３状態の少なくとも３つの状態を選択的に切り替えるスイッチである請求項９に記載の放射線照射器。
【請求項１５】
前記第１スイッチは、１回の操作によって、前記上下ロック解除指示および前記回転ロック解除指示の両方を入力するスイッチであり、
前記第２スイッチは、それぞれ、操作に応じて、前記上下ロック解除指示のみが入力される第１状態、前記回転ロック解除指示のみが入力される第２状態、前記上下ロック解除指示および前記回転ロック解除指示の両方が入力される第３状態の少なくとも３つの状態を選択的に切り替えるスイッチである請求項９に記載の放射線照射器。
【請求項１６】
前記本体部の前記正面には、前記回転移動した際の回転角度を表示するインジケータが設けられており、
前記インジケータは、前記本体部が回転しても回転せずに一定の姿勢を保つ円形の表示板と、前記表示板の周囲に設けられ、前記回転角度を表示する角度目盛りと、前記表示板に設けられ、前記角度目盛り上の前記回転角度を指し示すマーカとで構成される請求項９〜１５のいずれか１項に記載の放射線照射器。
【考案の詳細な説明】
【技術分野】
【０００１】
本考案は、放射線撮影に使用する放射線照射器に関する。
【背景技術】
【０００２】
医療分野において、放射線撮影に使用する放射線照射器が知られている（例えば、特許文献１）。放射線照射器は、正面、背面および照射開口が形成される照射面を有する本体部と、本体部に設けられたハンドルとを備えている。放射線照射器は、天井吊り下げ型の天井走行装置の支柱や床置き型のスタンドの支柱に取り付けられて使用される。放射線照射器は、照射位置や照射方向を調節できるように、支柱に対して移動可能に取り付けられ、照射面を下面としたときに、上下方向に沿った上下移動と、正面と前後を結ぶ前後方向に沿った前後軸回りの回転移動が可能である。ハンドルは、このような本体部の移動を行うために用いられる。
【０００３】
また、放射線照射器が不用意に移動しないように、本体部はロック機構によって移動をロックすることが可能になっている。放射線照射器を移動する場合には、ロック機構のロックが解除される。放射線照射器には、ロック機構に対してロック解除指示を入力する解除スイッチが設けられている。
【０００４】
特許文献１に記載のハンドルは、本体部の正面から見て左右の位置から上部の位置に連設されたバー形状のバーハンドルが設けられている。本体部の左右の側面には、ロック解除スイッチが設けられている。ロック解除スイッチは、バーハンドルの左右部分を把持した状態で操作が可能である。
【先行技術文献】
【特許文献】
【０００５】
【特許文献１】特許４４６６４４２号公報
【考案の概要】
【考案が解決しようとする課題】
【０００６】
特許文献１に記載のバーハンドルは、本体部の正面から見て左右上下のうち下方部分が欠落しているため、放射線照射器を片手で移動させる場合に、放射線照射器が不安定になるという問題があった。
【０００７】
というのも、放射線照射器は、天井吊り下げ型に代表されるように、医師や技師などの操作者や撮影対象となる患者に対して上方に吊り下げられている場合が多い。その場合、操作者が放射線照射器を操作する場合には、上方に手を伸ばして放射線照射器にアクセスすることになるため、放射線照射器の下方部分にハンドルが無いと、左右のハンドルを把持して放射線照射器の移動を行うことになる。
【０００８】
左右のハンドルを両手で把持することができれば、放射線照射器が回転しないように姿勢を安定させながら移動操作を行うことができる。しかしながら、左右のいずれかのハンドルを片手で把持した状態で移動させると、放射線照射器の左右の一方に偏った力が掛かるため、放射線照射器が回転してしまい、姿勢が不安定になってしまう。
【０００９】
特に、片手で移動操作を行う場合には、ハンドルを把持しつつ、ハンドルの近傍に配置されたロック解除スイッチの操作も行うことになるため、ハンドルを把持する力が弱くなり、姿勢を安定させる力が不足しがちになる。医療現場においては、ベッド上の患者を撮影する場合に、一方の手で患者の体を支えながら、他方の手で放射線照射の位置を調節しなければならない状況は頻繁にある。そのため、片手でも、安定した姿勢で放射線照射器の移動操作が行えるようにしたいという要望が多かった。
【００１０】
本考案は、片手でも、安定した姿勢で移動操作を行うことができる放射線照射器を提供することを目的とする。
【課題を解決するための手段】
【００１１】
上記目的を達成するために、本考案の放射線照射器は、放射線を照射する放射線照射器において、本体部と、第１バーハンドルと、第１スイッチとを備える。本体部は、支柱に移動自在に取り付けられる本体部であって、支柱への取り付け部が設けられる背面と、背面と対向する正面と、背面および正面のそれぞれの一端と接続し、放射線を照射する照射開口が設けられる照射面とを有する。第１バーハンドルは、本体部において照射面を下面とした場合に、正面において照射面と接続する下端部に設けられ、本体部を移動する際に把持される第１バーハンドルであって、正面の上下方向と直交する幅方向に延びる第１バー部と、第１バー部の端部と下端部とを繋ぐ１組の連結部とで構成される。第１スイッチは、本体部の移動を規制するロック機構に対して、ロックを解除するロック解除指示を入力する第１スイッチである。第１スイッチは、第１バー部、１組の連結部および下端部によって囲われる第１開口部、もしくは、第１バー部に配置されている。
【００１２】
第１スイッチは、第１バー部において、幅方向の中心線に対して線対称に配置されることが好ましい。第１スイッチは、第１バー部の全長に渡って配置されていることが好ましい。
【００１３】
本体部の移動は、上下方向に移動する上下移動を少なくとも含み、第１スイッチは、ロック機構に対して、少なくとも上下方向の移動のロックを解除する上下ロック解除指示を入力することが好ましい。
【００１４】
第１バー部は、連結部が接続された下端部を基点として支柱から離間する方向に突出した位置に配置されていることが好ましい。
【００１５】
本体部において、正面から見て左右の各側面のそれぞれに設けられる第２バーハンドルを備えていることが好ましい。
【００１６】
第２バーハンドルは、上下方向に延びる第２バー部と、第２バー部の端部と側面とを繋ぐ１組の連結部とで構成されていることが好ましい。
【００１７】
ロック機構に対して、ロックを解除するロック解除指示を入力する第２スイッチを有していることが好ましい。第２スイッチは、第２バー部、１組の連結部および側面によって囲われる第２開口部、もしくは、第２バー部に配置される第２スイッチを備えていることが好ましい。
【００１８】
本体部の移動は、上下方向に移動する上下移動と、正面と背面を結ぶ前後方向に沿った前後軸回りに回転する回転移動とを含み、第１スイッチおよび第２スイッチは、それぞれ、ロック機構に対して、上下移動のロックを解除する上下ロック解除指示、および／または回転移動のロックを解除する回転ロック解除指示を入力するスイッチであることが好ましい。
【００１９】
第１スイッチは、上下ロック解除指示のみを入力するスイッチであり、第２スイッチは、１回の操作によって、上下ロック解除指示および回転ロック解除指示の両方を入力するスイッチであることが好ましい。
【００２０】
第１スイッチは、操作に応じて、上下ロック解除指示のみが入力される第１状態、回転ロック解除指示のみが入力される第２状態、上下ロック解除指示および回転ロック解除指示の両方が入力される第３状態の少なくとも３つの状態を選択的に切り替えるスイッチであり、第２スイッチは、１回の操作によって、上下ロック解除指示および回転ロック解除指示の両方を入力するスイッチであってもよい。
【００２１】
第１スイッチおよび第２スイッチは、それぞれ、１回の操作によって、上下ロック解除指示および回転ロック解除指示の両方を入力するスイッチであってもよい。
【００２２】
第１スイッチおよび第２スイッチは、それぞれ、操作に応じて、上下ロック解除指示のみが入力される第１状態、回転ロック解除指示のみが入力される第２状態、上下ロック解除指示および回転ロック解除指示の両方が入力される第３状態の少なくとも３つの状態を選択的に切り替えるスイッチであってもよい。
【００２３】
第１スイッチは、上下ロック解除指示のみを入力するスイッチであり、第２スイッチは、それぞれ、操作に応じて、上下ロック解除指示のみが入力される第１状態、回転ロック解除指示のみが入力される第２状態、上下ロック解除指示および回転ロック解除指示の両方が入力される第３状態の少なくとも３つの状態を選択的に切り替えるスイッチでああってもよい。
【００２４】
第１スイッチは、１回の操作によって、上下ロック解除指示および回転ロック解除指示の両方を入力するスイッチであり、第２スイッチは、それぞれ、操作に応じて、上下ロック解除指示のみが入力される第１状態、回転ロック解除指示のみが入力される第２状態、上下ロック解除指示および回転ロック解除指示の両方が入力される第３状態の少なくとも３つの状態を選択的に切り替えるスイッチであってもよい。
【００２５】
本体部の正面には、回転移動した際の回転角度を表示するインジケータが設けられており、インジケータは、本体部が回転しても回転せずに一定の姿勢を保つ円形の表示板と、表示板の周囲に設けられ、回転角度を表示する角度目盛りと、表示板に設けられ、角度目盛り上の回転角度を指し示すマーカとで構成されることが好ましい。
【考案の効果】
【００２６】
本考案によれば、正面の下端部に設けられる第１バーハンドルと、本体部の移動を規制するロック機構に対して、ロックを解除するロック解除指示を入力する第１スイッチであって、第１バーハンドルの第１バー部、および／または、第１バー部、１組の連結部および下端部によって囲われる第１開口部内に配置される第１スイッチとを設けたから、片手でも、安定した姿勢で移動操作を行うことができる放射線照射器を提供することができる。
【図面の簡単な説明】
【００２７】
【図１】Ｘ線照射器を含むＸ線撮影システムの概略図である。
【図２】Ｘ線照射器の斜視図である。
【図３】Ｘ線照射器の底面図である。
【図４】上下移動機構および回転機構の説明図である。
【図５】Ｘ線照射器の上下移動の説明図である。
【図６】Ｘ線照射器の時計回りの回転移動の説明図である。
【図７】Ｘ線照射器の反時計回りの回転移動の説明図である。
【図８】第１スイッチの説明図である。
【図９】第２スイッチの説明図である。
【図１０】第１スイッチおよび第２スイッチとロック機構の接続構成を示す説明図である。
【図１１】第１実施形態の第１スイッチと第２スイッチの機能の割り当てを示す説明図である。
【図１２】第１スイッチの配置に関する説明図である。
【図１３】第１バーハンドルの配置に関する説明図である。
【図１４】第１スイッチの配置に関する変形例の説明図である。
【図１５】第１スイッチの配置に関する別の変形例の説明図である。
【図１６】第２スイッチにセンサスイッチを使用した場合の説明図である。
【図１７】第２実施形態の第１スイッチと第２スイッチの機能の割り当てを示す説明図である。
【図１８】第２実施形態における、第１スイッチおよび第２スイッチとロック機構の接続構成を示す説明図である。
【図１９】３つのロック解除状態をサイクリックに切り替える態様のスイッチの説明図である。
【図２０】第３実施形態の第１スイッチと第２スイッチの機能の割り当てを示す説明図である。
【図２１】第４実施形態の第１スイッチと第２スイッチの機能の割り当てを示す説明図である。
【図２２】第５実施形態の第１スイッチと第２スイッチの機能の割り当てを示す説明図である。
【図２３】第６実施形態の第１スイッチと第２スイッチの機能の割り当てを示す説明図である。
【図２４】第１意匠のＸ線照射器の上面、正面及び左側面を示す斜視図である。
【図２５】第１意匠のＸ線照射器の正面図である。
【図２６】第１意匠のＸ線照射器の背面図である。
【図２７】第１意匠のＸ線照射器の平面図である。
【図２８】第１意匠のＸ線照射器の底面図である。
【図２９】第１意匠のＸ線照射器の左側面図である。
【図３０】第１意匠のＸ線照射器の右側面図である。
【図３１】第１意匠のＸ線照射器の内部機構を省略したＢ−Ｂ線参考拡大断面図である。
【図３２】第１意匠のＸ線照射器の内部機構を省略したＡ−Ａ線参考拡大断面図である。
【図３３】第１意匠のＸ線照射器の使用状態参考図である。
【図３４】第２意匠のＸ線照射器の上面、正面及び左側面を示す斜視図である。
【図３５】第２意匠のＸ線照射器の正面図である。
【図３６】第２意匠のＸ線照射器の背面図である。
【図３７】第２意匠のＸ線照射器の平面図である。
【図３８】第２意匠のＸ線照射器の底面図である。
【図３９】第２意匠のＸ線照射器の左側面図である。
【図４０】第２意匠のＸ線照射器の右側面図である。
【図４１】第２意匠のＸ線照射器の内部機構を省略したＢ−Ｂ線参考拡大断面図である。
【図４２】第２意匠のＸ線照射器の内部機構を省略したＡ−Ａ線参考拡大断面図である。
【図４３】第２意匠のＸ線照射器の使用状態参考図である。
【考案を実施するための形態】
【００２８】
［第１実施形態］
図１において、Ｘ線撮影システム２は、放射線としてＸ線を使用した放射線撮影システムであり、Ｘ線発生装置１１と電子カセッテ１２とを備える。電子カセッテ１２は、可搬型のＸ線画像検出装置であり、被写体（患者）Ｈを透過したＸ線を検出してＸ線画像を出力する。電子カセッテ１２は、電子カセッテ１２を制御する撮影制御装置（図示せず）や、Ｘ線画像の保存や表示処理を担うコンソール（図示せず）と、無線または有線で通信可能に接続される。電子カセッテ１２は、例えば、被写体Ｈを撮影するために寝台１３上に載置されたり、あるいは、被写体Ｈに抱えられるなどして、撮影部位に応じたポジショニングが行われる。
【００２９】
Ｘ線発生装置１１は、Ｘ線撮影用のＸ線を発生する。Ｘ線発生装置１１は、被写体Ｈに向けてＸ線を照射するＸ線照射器１５と、Ｘ線照射器１５の駆動を制御する線源制御装置１６とで構成されている。Ｘ線照射器１５は、例えば、床置き型のスタンド１７に取り付けられる。スタンド１７は、鉛直方向（上下方向：Ｚ軸方向）に延びる支柱１７Ａを有している。
【００３０】
支柱１７Ａには、水平方向に延びる水平アーム１７Ｂが上下方向に移動自在に取り付けられている。水平アーム１７Ｂの自由端には、Ｘ線照射器１５が取り付けられている。
水平アーム１７Ｂが支柱１７Ａの長手方向に沿って上下方向（Ｚ軸方向）に移動すると、自由端に取り付けられたＸ線照射器１５が上下移動する。水平アーム１７Ｂは、例えば、伸縮や屈曲が可能である。Ｘ線照射器１５は、水平アーム１７Ｂの伸縮や屈曲により、Ｚ軸と直交するＸ軸およびＹ軸の２軸で規定されるＸ−Ｙ平面内において、移動が可能である。こうした移動を行うことで、Ｘ線照射器１５の照射位置を調節することができる。
【００３１】
医師や診療放射線技師などの医療スタッフＳＴは、被写体Ｈの撮影部位に対して電子カセッテ１２のポジショニングを行い、ポジショニングされた電子カセッテ１２と対向するように、Ｘ線照射器１５の照射位置を調節する。
【００３２】
Ｘ線照射器１５は、Ｘ線を発生するＸ線管１８を有する本体部１９を有している。本体部１９には、Ｘ線管１８から発生されたＸ線の被写体Ｈへの照射野を限定する照射野限定器（コリメータともいう）２１が取り付けられる。Ｘ線管１８には、フィラメント、ターゲット、グリッド電極など（いずれも図示せず）が設けられている。陰極であるフィラメントと陽極であるターゲットの間には電圧（管電圧）が印加される。フィラメントはこの管電圧に応じた熱電子を生成する。生成された熱電子はターゲットに向けて放出される。ターゲットはフィラメントからの熱電子が衝突することによりＸ線を放射する。グリッド電極はフィラメントとターゲットの間に配置されており、印加される電圧に応じてフィラメントからターゲットに向かう熱電子の流量（管電流）を変更する。
【００３３】
照射野限定器２１は、Ｘ線を遮蔽する４枚の鉛板を四角形の各辺上に配置し、Ｘ線を透過させる四角形の出射開口が中央部に形成されたものである。各鉛板の位置が変わることで出射開口の大きさが変化し、これによりＸ線の照射野が変更される。
【００３４】
線源制御装置１６は、管電圧およびグリッド電極に印加する電圧を発生する電圧発生部と、この電圧発生部の動作を制御することにより、管電圧、管電流、およびＸ線の照射時間を制御する制御部とを有する。線源制御装置１６とＸ線照射器１５との間は、電圧供給と制御信号を送信するためのケーブル２２で接続されている。また、線源制御装置１６には、医療スタッフＳＴがＸ線の照射条件（管電圧、管電流、照射時間など）を入力するための操作部と、Ｘ線照射器１５に対してＸ線の照射開始を指示するための照射スイッチ２３とが接続されている。
【００３５】
照射スイッチ２３は例えば２段押下型である。照射スイッチ２３は、１段目まで押された（半押しされた）ときウォームアップ指示信号を発生し、２段目まで押された（全押しされた）とき照射開始指示信号を発生する。
【００３６】
線源制御装置１６は、ウォームアップ指示信号が入力された場合、フィラメントを予熱し、同時にターゲットの回転を開始させる。フィラメントの予熱が完了し、ターゲットが規定の回転数となったときにウォームアップが終了する。照射開始指示信号が入力されると、電圧を発生させてＸ線照射器１５によるＸ線の照射を開始させる。照射条件で設定された照射時間が経過すると、Ｘ線の照射を停止させる。
【００３７】
図２および図３に示すように、Ｘ線照射器１５の本体部１９は、略直方体形状をしており、支柱１７Ａへの取り付け部３１（図４参照）が設けられる背面１９Ｂと、背面１９Ｂと対向する正面１９Ａと、背面１９Ｂおよび正面１９Ａのそれぞれの一端と接続し、Ｘ線を照射する照射開口２４が設けられた照射面１９Ｄ（図３参照）とを有する。
【００３８】
照射開口２４は、照射面１９Ｄに照射野限定器２１が取り付けられたときに、照射野限定器２１に設けられた入射開口２１Ａ（図２参照）と対向する。Ｘ線は、照射開口２４から入射開口２１Ａから照射野限定器２１に入射して、照射野限定器２１の出射開口から出射して、被写体Ｈに照射される。
【００３９】
さらに、本体部１９は、照射面１９Ｄを下面とした場合に、照射面１９Ｄと対向する上面１９Ｃと、正面１９Ａから見て左右に配置される側面１９Ｅ、１９Ｆとを有する。各側面１９Ｅ、１９Ｆからは、それぞれのＸ線管１８の端部が張り出している。背面１９Ｂの取り付け部３１は、水平アーム１７Ｂの一端に取り付けられる。取り付け部３１が水平アーム１７Ｂに取り付けられる結果、水平アーム１７Ｂを介して、Ｘ線照射器１５が支柱１７Ａに取り付けられる。
【００４０】
また、後述するとおり、本体部１９は、Ｘ軸と平行な前後軸回りに回転自在である。正面１９Ａには、本体部１９が回転移動した際の回転角度を表示するインジケータ２５が設けられている。
【００４１】
また、正面１９Ａにおいて照射面１９Ｄと接続する下端部１９Ｇには、第１バーハンドル２６が設けられている。第１バーハンドル２６は、本体部１９を移動する際に把持されるバーハンドルであり、正面１９Ａの上下方向（Ｚ軸方向）と直交する幅方向（Ｙ方向）に延びる第１バー部２６Ａと、第１バー部２６Ａの端部と下端部１９Ｇとを繋ぐ１組の連結部２６Ｂとで構成される。こうした構成の結果、第１バーハンドル２６には、第１バー部２６Ａ、連結部２６Ｂおよび下端部１９Ｇによって囲われる第１開口部２６Ｃが形成される。
【００４２】
第１バーハンドル２６において、第１バー部２６Ａには、第１スイッチ２７が設けられている。第１スイッチ２７は、後述する上下ロック機構３７（図４参照）に対して、ロックを解除するロック解除指示を入力するスイッチである。第１スイッチ２７は、第１バーハンドル２６に設けられているため、第１バーハンドル２６を把持しながら操作することが可能である。
【００４３】
本体部１９において、正面１９Ａから見て左右の各側面１９Ｅ、１９Ｆには、それぞれ、第２バーハンドル２８が設けられている。第１バーハンドル２６は、本体部１９の下端部１９Ｇに設けられる下側バーハンドルであるのに対して、第２バーハンドル２８は、本体部１９の左右に設けられる左右バーハンドルである。
【００４４】
第２バーハンドル２８も、第１バーハンドル２６と同様に、本体部１９を移動する際に把持されるバーハンドルである。左右の各第２バーハンドル２８は、上下方向に延びる第２バー部２８Ａと、第２バー部２８Ａの端部と、側面１９Ｅまたは側面１９Ｆとを繋ぐ１組の連結部２８Ｂとで構成される。こうした構成の結果、第２バーハンドル２８には、第２バー部２８Ａ、連結部２８Ｂ、および側面１９Ｅまたは側面１９Ｆによって囲われる第２開口部２８Ｃが形成される。
【００４５】
左右の各第２バーハンドル２８において、第２開口部２８Ｃには、第２スイッチ２９が配置されている。ここで、開口部とは、開口部内の空間に加えて、開口部の輪郭を画定する実体部分の縁を含む概念である。例えば、第２開口部２８Ｃの場合には、実体部分は、第２バー部２８Ａ、連結部２８Ｂ、および側面１９Ｅまたは側面１９Ｆであって、これらの第２開口部２８Ｃ側の領域が、第２開口部２８Ｃを画定する実体部分の縁に相当する。
【００４６】
具体的には、第２スイッチ２９は、第２開口部２８Ｃを画定する実体部分の縁に相当する、各側面１９Ｅまたは側面１９Ｆの端部に一端が固定されており、操作部分である押圧板５１（図９参照）が第２開口部２８Ｃ内に張り出した状態で配置されている。第２スイッチ２９は、後述する上下ロック機構３７および回転ロック機構４４に対して、ロックを解除するロック解除指示を入力するスイッチである。第２スイッチ２９は、第２開口部２８Ｃに配置されているため、第２バーハンドル２８を把持しながら操作することが可能である。
【００４７】
Ｘ線照射器１５の移動は、これら第１バーハンドル２６と第２バーハンドル２８を使用して行われる。第１バーハンドル２６と第２バーハンドル２８は、それぞれが独立した形態のバーハンドルであり、両者は連接されていない。Ｘ線照射器１５の移動方向に応じて、第１バーハンドル２６と第２バーハンドル２８は使い分けられる。
【００４８】
図４に示すように、Ｘ線照射器１５は、本体部１９の背面１９Ｂに、本体部１９を支柱１７Ａに対して上下移動自在（Ｚ方向）に取り付けるための取り付け部３１が設けられている。上下移動機構３２は、例えば、滑車３３と、ベルト３４と、水平アーム１７Ｂと、カウンタウェイト３６と、上下ロック機構３７とで構成される。上下移動機構３２は、水平アーム１７Ｂの一部を含めて、支柱１７Ａ内に設けられている。Ｘ線照射器１５の本体部１９は、取り付け部３１が水平アーム１７Ｂの一端に固定される。
【００４９】
滑車３３は、回転自在に設けられており、滑車３３にはベルト３４が掛けられている。ベルト３４の一端には、水平アーム１７Ｂが取り付けられており、他端には、カウンタウェイト３６が取り付けられる。カウンタウェイト３６は、周知のように、水平アーム１７Ｂの上下移動に際して、水平アーム１７Ｂの重さとつりあいを取るためのおもりである。
【００５０】
上下ロック機構３７は、滑車３３の回転を規制して、水平アーム１７Ｂの上下移動をロックする。水平アーム１７ＢにはＸ線照射器１５の本体部１９が固定されているため、上下ロック機構３７は、水平アーム１７Ｂを規制することで、本体部１９の上下移動を規制する。上下ロック機構３７は、例えば、滑車３３の回転を規制するロックピンを、ソレノイドなどのアクチュエータによってロック位置とロック解除位置の間で移動する。ロックピンは、例えば、初期状態においてロック位置にあり、上下ロック機構３７は、ロック解除指示が入力されている間、ロックピンをロック解除位置に退避して、ロックを解除する。
【００５１】
水平アーム１７Ｂ内には、Ｘ線照射器１５の本体部１９を、正面１９Ａと背面１９Ｂを結ぶ前後方向に沿った前後軸回りに回転自在に保持する回転機構４１が設けられている。回転機構４１は、回転軸４２と、軸受け部４３と、回転ロック機構４４とで構成される。回転軸４２は、本体部１９の前後軸と一致し、水平アーム１７Ｂの長手方向に沿って配置されている。軸受け部４３は、回転軸４２を回転自在に保持する。回転ロック機構４４は、回転軸４２の回転を規制して、本体部１９の回転移動をロックする。
【００５２】
これら上下移動機構３２および回転機構４１によって、本体部１９は、水平アーム１７Ｂを介して、図５に示すように支柱１７Ａに対して上下移動自在に、かつ、図６および図７に示すように、水平アーム１７Ｂと平行な前後軸回りに回転移動自在となる。本体部１９が上下移動および回転移動をすることで、Ｘ線照射器１５の照射位置や照射方向が調節される。なお、水平アーム１７Ｂは、Ｘ−Ｙ平面内において伸縮や屈曲が可能となっており、水平アーム１７Ｂが伸縮または屈曲することで、本体部１９はＸ−Ｙ平面内の移動も可能である。
【００５３】
図５に示すように、第１バーハンドル２６の第１バー部２６Ａは、正面１９Ａの幅方向に延びているため、本体部１９が、照射面１９Ｄを下面とする正姿勢にある状態では、第１バー部２６Ａの長手方向は水平方向と一致し、長手方向と上下方向は直交する。そして、第１バー部２６Ａの中央部分は、本体部１９の前後軸回りの回転中心とほぼ一致している。そのため、本体部１９が正姿勢の状態で、本体部１９を上下移動させる場合において、第１バー部２６Ａの中央部分を把持して上下移動を行えば、左右の第２バーハンドル２８を把持する場合と比較して、本体部１９に対して回転力が加わりにくい。
【００５４】
また、第１スイッチ２７は、第１バー部２６Ａに設けられている。第１スイッチ２７は、上下ロック機構３７に対して解除指示を入力する。第１スイッチ２７は、第１バー部２６Ａに位置しており、この位置は、第１バー部２６Ａを把持した状態で操作可能な位置である。医療スタッフＳＴは、片手ＨＤで第１バー部２６Ａを握った状態で、第１スイッチ２７を押下操作して、上下移動のロックを解除することが可能である。このため、片手ＨＤで上下移動操作を行う場合でも、第１バーハンドル２６を使用することにより、把持力を維持した状態で上下移動操作を行うことができるため、Ｘ線照射器１５を安定した姿勢で上下移動させることができる。
【００５５】
図８に示すように、第１スイッチ２７は、例えば、押圧板４６と、スイッチ回路素子４７とで構成される。押圧板４６は、第１バー部２６Ａに配置され、手ＨＤで押下操作されることにより、スイッチ回路素子４７のアクチュエート部材を押圧する。より具体的には、第１スイッチ２７の押圧板４６は、第１バー部２６Ａに埋め込まれて、表面が第１バー部２６Ａの外周の一部を構成する埋め込み型である。スイッチ回路素子４７は、オン位置とオフ位置の間で移動自在なアクチュエート部材を有するメカニカルスイッチである。
【００５６】
スイッチ回路素子４７のアクチュエート部材は初期状態ではオフ位置にあり、押圧板４６の押下操作により押圧されるとオン位置に移動する。スイッチ回路素子４７は、オンされている間、ロック解除指示に相当するロック解除信号を発生する。スイッチ回路素子４７と上下ロック機構３７とは電気的に接続されており、スイッチ回路素子４７が発生するロック解除指示は、上下ロック機構３７に入力される。これにより、第１スイッチ２７が操作されると、上下ロック機構３７のロックが解除されて、本体部１９の上下移動が可能となる。
【００５７】
また、図６および図７に示すように、第２バーハンドル２８は、本体部１９の左右の側面１９Ｅ、１９Ｆにそれぞれ設けられていため、左右のいずれかの第２バーハンドル２８を把持すると、前後軸回りに回転する本体部１９に対して回転力を伝えやすい。
【００５８】
インジケータ２５は、本体部１９が回転しても回転せずに一定の姿勢を保つ円形の表示板２５Ａと、本体部１９の正面１９Ａにおいて表示板２５Ａの周囲に設けられ、回転角度を表示する角度目盛り２５Ｂと、表示板２５Ａに設けられ、角度目盛り２５Ｂ上の回転角度を指し示すマーカ２５Ｃとで構成される。
【００５９】
回転角度の範囲は、本体部１９の正姿勢を基準位置として、時計回りおよび反時計回りにそれぞれ９０°で、合計１８０°の範囲である。角度目盛り２５Ｂは、一定間隔に配置される複数のドットマークで構成される。ドットマークに加えて、正姿勢の位置には「０」、正姿勢を基準として時計回りおよび反時計回りにそれぞれ９０°回転した位置に「９０」の数値の目盛りが付されている。
【００６０】
本体部１９を回転させると、表示板２５Ａに対して角度目盛り２５Ｂが回転して、表示板２５Ａ上のマーカ２５Ｃと角度目盛り２５Ｂの相対位置が変化する。マーカ２５Ｃに対応する角度目盛り２５Ｂを読み取ることにより、回転角度を確認することができる。マーカ２５Ｃは、例えば、ドット形状をしている。こうしたインジケータ２５は、針と目盛りで構成される従来のインジケータと、デザイン面において大きく異なるため、ユーザに対して斬新な印象を与えることができる。
【００６１】
また、第２スイッチ２９は、第２バーハンドル２８の第２開口部２８Ｃに配置されている。第２スイッチ２９は、回転ロック機構４４に対して解除指示を入力する。第２スイッチ２９は、第２開口部２８Ｃに位置しており、この位置は、第２バーハンドル２８を把持した状態で操作可能な位置である。医療スタッフＳＴは、片手ＨＤで第２バーハンドル２８を把持しながら、第２スイッチ２９を押下操作して、回転移動のロックを解除することが可能である。第２バーハンドル２８は、本体部１９に対して回転力を掛けやすいため、第２バーハンドル２８を使用することで、片手ＨＤでも回転移動操作をしやすい。
【００６２】
また、第２スイッチ２９は、回転ロック機構４４に加えて、上下ロック機構３７に対して解除指示を入力する。そのため、第２スイッチ２９を押下操作することで、上下移動のロックも解除されるため、第２バーハンドル２８を把持しながら本体部１９の上下移動操作も可能となる。第２バーハンドル２８を使用する場合でも、左右の第２バーハンドル２８を両方の手ＨＤで把持すれば、本体部１９を回転させずに、安定した姿勢で上下移動を行うことができる。
【００６３】
図９に示すように、第２スイッチ２９は、例えば、パドル型スイッチであり、パドル形状の押圧板５１と、スイッチ回路素子５２とで構成される。押圧板５１は、本体部１９の各側面１９Ｅ、１９Ｆに取り付けられており、手ＨＤで押下操作されることにより、スイッチ回路素子５２のアクチュエート部材を押圧する。スイッチ回路素子５２は、オン位置とオフ位置の間で移動自在なアクチュエート部材を有するメカニカルスイッチである。
【００６４】
スイッチ回路素子５２のアクチュエート部材は初期状態ではオフ位置にあり、押圧板５１の押下操作により押圧されるとオン位置に移動する。スイッチ回路素子５２は、オンされている間、ロック解除指示に相当するロック解除信号を発生する。スイッチ回路素子５２は、上下ロック機構３７および回転ロック機構４４と電気的に接続されており、スイッチ回路素子５２が発生するロック解除指示は、上下ロック機構３７および回転ロック機構４４に入力される。すなわち、第２スイッチ２９は、１回の操作によって、上下ロック解除指示および回転ロック解除指示の両方を入力するスイッチである。これにより、第２スイッチ２９が操作されると、上下ロック機構３７および回転ロック機構４４のロックが両方解除されて、本体部１９の上下移動および回転移動が可能となる。
【００６５】
図１０および図１１は、Ｘ線照射器１５における、第１スイッチ２７および第２スイッチ２９の取り付け位置と、割り当てられる機能とをまとめた説明図である。第１スイッチ２７の取り付け位置は、本体部１９の下側に位置する下側バーハンドルである、第１バーハンドル２６である。第１スイッチ２７のロック解除対象は、上下ロック機構３７であり、第１スイッチ２７が操作されると、上下ロック機構３７に対してロック解除指示が入力される。
【００６６】
一方、第２スイッチ２９の取り付け位置は、左右の第２バーハンドル２８の第２開口部２８Ｃである。第２スイッチ２９のロック解除対象は、上下ロック機構３７および回転ロック機構４４であり、第２スイッチ２９が操作されると、上下ロック機構３７および回転ロック機構４４に対してロック解除指示が入力される。
【００６７】
つまり、図１１に示すように、第１バーハンドル２６の第１スイッチ２７のロック解除対象が上下ロックのみであるのに対して、第２バーハンドル２８の第２スイッチ２９のロック解除対象は上下ロックと回転ロックの両方である。このような機能の割り当てには次のようなメリットがある。
【００６８】
上述したとおり、第１バーハンドル２６を使用すると、本体部１９の上下方向と直交する幅方向に延びた第１バー部２６Ａを把持できる。第１バー部２６Ａの中央部分は、本体部１９の回転中心とほぼ一致するため、本体部１９に回転力が加わりにくく、本体部１９を安定した姿勢で上下移動操作しやすい。また、第１バーハンドル２６は、本体部１９の下方部分に配置されているため、下方からアクセスしやすい。
【００６９】
また、第１スイッチ２７のロック解除対象を上下ロックのみとすることで、第１バーハンドル２６を使用した上下移動操作の際に、本体部１９が不用意に回転することが無い。そのため、上下ロックに加えて回転ロックが解除される場合と比べて、安定した上下移動操作が可能となる。第１バーハンドル２６は、上下移動に多く使用されると考えられるため、第１スイッチ２７のロック解除対象を上下ロックに限定することは、使用頻度の高い操作を安定した姿勢で行えるという意味でも有効である。
【００７０】
一方、第２バーハンドル２８は、本体部１９に対して回転力を掛けやすいため、回転移動操作に使用される頻度が高いと考えられる。第２バーハンドル２８を把持しながら操作できる第２スイッチ２９は、回転ロックを解除できるため、本体部１９の回転操作を行いやすい。また、左右の第２バーハンドル２８を、両方の手ＨＤで把持すれば、本体部１９を安定した姿勢で上下移動操作ができる。このような操作を考慮して、第２スイッチ２９に対しては上下ロックの解除機能も割り当てられている。
【００７１】
図１２に示すように、第１スイッチ２７は、第１バー部２６Ａにおいて、本体部１９の幅方向（Ｙ軸方向）の中心線ＣＬに対して線対称に配置されている。より具体的には、第１スイッチ２７の押圧板４６は、第１バー部２６Ａの中央に配置されており、かつ、中心線ＣＬから両端部までの長さが同じである。このように、第１スイッチ２７が中心線ＣＬに対して線対称にあることで、第１バーハンドル２６を把持する手ＨＤが右手または左手のどちらでも、第１スイッチ２７を操作しやすい。また、第１バー部２６Ａの中央部分は、本体部１９に回転力が加わりにくい把持位置であるため、使用頻度が高いと考えられる。このような使用頻度が高い位置に第１スイッチ２７が配置されるため、操作性もよい。
【００７２】
また、図１３に示すように、第１バーハンドル２６において、第１バー部２６Ａは、本体部１９において、連結部２８Ｂが接続された下端部１９Ｇを基点として支柱１７Ａから離間する方向（以下、単に本体部１９の前方という）に突出した位置に配置されている。本体部１９の下面となる照射面１９Ｄには照射野限定器２１が設けられる。このように第１バー部２６Ａを本体部１９の前方に突出させることで、第１バー部２６Ａを把持する手ＨＤが、照射野限定器２１と干渉することを防止できる。
【００７３】
以下、上記構成による作用について説明する。Ｘ線撮影システム２でＸ線撮影を行う場合には、図１に示すように、まず、寝台１３上の被写体Ｈの撮影部位に応じて、電子カセッテ１２をポジショニングする。そして、撮影部位に対してポジショニングされた電子カセッテ１２の位置に応じて、Ｘ線照射器１５の照射位置や照射方向を調節する。この際に、医療スタッフＳＴは、被写体Ｈや電子カセッテ１２を片方の手で支えながら、もう片方の手ＨＤでＸ線照射器１５を調節しなければならない場合も多い。
【００７４】
その場合でも、本体部１９の上下移動方向と直交する幅方向に延びる第１バーハンドル２６には、上下ロックを解除する第１スイッチ２７が設けられているため、片手ＨＤで操作する場合でも、第１バーハンドル２６を使用すれば、安定した姿勢で本体部１９を上下移動操作することができる。
【００７５】
図１に示すように、Ｘ線照射器１５は、医療スタッフＳＴや患者に対して、上方に配置されている場合が多い。その場合、操作者である医療スタッフＳＴが、Ｘ線照射器１５を操作する場合には、上方に手を伸ばしてＸ線照射器１５にアクセスすることになる。Ｘ線照射器１５は、本体部１９の下方部分に第１バーハンドル２６が設けられているため、Ｘ線照射器１５が医療スタッフＳＴの上方に配置されている場合でもアクセスしやすい。
【００７６】
また、本体部１９に対して回転力を掛けやすい第２バーハンドル２８の第２開口部２８Ｃには、回転ロックを解除する第２スイッチ２９が設けられているため、第２バーハンドル２８を使用すれば回転移動操作もしやすい。
【００７７】
また、第１バーハンドル２６と第２バーハンドル２８は、連接された形態ではなく、それぞれが独立した形態であるため、次のようなメリットがある。すなわち、第１バーハンドルと第２バーハンドルが連接される形態では、各ハンドル２６、２８の連接部分を把持した場合には、第１スイッチ２７や第２スイッチ２９のいずれかに指が届かない場合があり、各スイッチ２７、２９の位置を目視で確認して握り直しをしなければならない場合がある。第１バーハンドル２６と第２バーハンドル２８を独立させることで、スイッチ操作ができない連接部分が排除されるため、握り直しの発生頻度が低下する。
【００７８】
上記例において、図１２に示したように、第１スイッチ２７を、中心線ＣＬに対して線対称に配置した例を説明したが、線対称の例としては、図１２に示す例に限らず、図１４および図１５に示す例でもよい。図１４に示す例は、第１スイッチ２７の押圧板４６が、第１バー部２６Ａの全長に渡って配置されている例である。これによれば、第１バー部２６Ａのどこを把持しても、ロック解除操作が可能となるため、操作しやすい。また、図１５に示すように、中心線ＣＬを挟んで、左右の対象位置にそれぞれ押圧板４６が配置されていてもよい。各押圧板４６は、同じ大きさで、かつ、中心線ＣＬから等距離の位置に配置されている。こうした構成でも、第１スイッチ２７が左右対称の配置なので、右手および左手のどちらで把持しても操作がしやすい。
【００７９】
また、上記例では、第１スイッチ２７を第１バーハンドル２６の第１バー部２６Ａに設けた例で説明したが、第１スイッチ２７を、第１バー部２６Ａに設ける代わりに、第２スイッチ２９のようなパドル型のスイッチの形態としてもよい。
【００８０】
第１スイッチをパドル型のスイッチとした場合には、第１スイッチは、例えば、第１開口部２６Ｃに配置される。ここで、開口部とは、上述のとおり、開口部内の空間に加えて、開口部の輪郭を画定する実体部分の縁を含む概念である。第１開口部２６Ｃの場合には、実体部分は、第１バー部２６Ａ、連結部２６Ｂ、および下端部１９Ｇであって、これらの第１開口部２６Ｃ側の領域が、第１開口部２６Ｃ側の実体部分の縁に相当する。具体的には、上記第２スイッチ２９と同様に、第１スイッチは、第１開口部２６Ｃを画定する実体部分の縁に相当する、下端部１９Ｇに一端が固定され、操作部分である押圧板が第１開口部２６Ｃ内に張り出した状態で配置される。こうしても、第１バーハンドル２６を把持しながら第１スイッチを操作することができる。
【００８１】
また、その反対に、第２スイッチ２９を、パドル型スイッチの形態とする代わりに、上記例の第１スイッチ２７のように、第２バーハンドル２８に埋め込む埋め込み型のスイッチとしてもよい。
【００８２】
また、図２および図８に示すように、本例では、第１スイッチ２７を、第１バー部２６Ａに埋め込む埋め込み型のスイッチとしたが、第１バー部２６Ａではなく、下端部１９Ｇに埋め込み型の第１スイッチを配置してもよい。上述のとおり、下端部１９Ｇは、第１開口部２６Ｃを画定する実体部分の縁に相当するので、下端部１９Ｇに埋め込み型の第１スイッチを配置する形態も、第１開口部２６Ｃに配置する形態に含まれる。
【００８３】
また、第２スイッチ２９を埋め込み型のスイッチとする場合も、第２バーハンドル２８に配置する代わりに、第２開口部２８Ｃを画定する側面１９Ｅや側面１９Ｆに配置してもよい。上述のとおり、側面１９Ｅや側面１９Ｆにおいて第２開口部２８Ｃ側の端部は、第２開口部２８Ｃを画定する実体部分の縁に相当するので、側面１９Ｅや側面１９Ｆに埋め込み型の第２スイッチを配置する形態も、第２開口部２８Ｃに配置する形態に含まれる。
【００８４】
また、図１６に示すように、第１スイッチ２７および／または第２スイッチ２９としては、メカニカルスイッチの代わりに、センサスイッチを使用してもよい。図１６は、第２スイッチ２９として、第２バーハンドル２８が手ＨＤによって把持されたことを検知するセンサスイッチを使用した例である。
【００８５】
図１６において、第２スイッチ２９は、センサ部５６と透明窓５７とで構成される。センサ部５６は、例えば、透明窓５７を透過して入射する入射光を受光して光電変換し、入射光量に応じた電気信号を出力するフォトセンサを備えている。センサ部５６は、入射光量が予め設定された所定値を上回っている状態ではオフされて、入射光量が所定値以下になっている間オンして、ロック解除操作指示を発生する。
【００８６】
第２バーハンドル２８が手ＨＤで把持されて、透明窓５７の少なくとも一部が手ＨＤで覆われると、センサ部５６への入射光量が低下する。センサ部５６は、入射光量の変化に基づいて把持を検知して、ロック解除指示を発生する。
【００８７】
また、センサスイッチとしては、フォトセンサを使用したものでなくてもよい。例えば、手ＨＤが第２バーハンドル２８を把持した際の圧力に基づいて把持を検知する圧力センサなどでもよい。図１６は、第２スイッチ２９にセンサスイッチを適用した例であるが、第１スイッチ２７に適用してもよい。
【００８８】
第１スイッチ２７または第２スイッチ２９として、このようなセンサスイッチを使用する場合には、第１バーハンドル２６や第２バーハンドル２８に限らず、センサスイッチを第１開口部２６Ｃや第２開口部２８Ｃに配置してもよい。具体的には、第１開口部２６Ｃに配置する場合には、例えば、第１開口部２６Ｃを画定する実体部分の縁に相当する、下端部１９Ｇにセンサスイッチが配置される。また、第２開口部２６Ｃに配置する場合には、第２開口部２８Ｃを画定する実体部分の縁に相当する、側面１９Ｅや側面１９Ｆにセンサスイッチが配置される。また、センサスイッチを図９に示すパドル型スイッチの形態としてもよい。この場合には、押圧板５１に相当する部分にセンサ部５６が設けられる。        
【００８９】
また、本例において、Ｘ線照射器１５を、床置き型のスタンド１７の支柱１７Ａに取り付けた例で説明したが、天井吊り下げ型の天井走行装置の支柱に取り付けてもよい。天井吊り下げ型の天井走行装置は、周知のように、天井に敷設したレールに支柱を取り付けて、Ｘ線照射器１５のＸ−Ｙ平面内の移動を、支柱をレールに沿って移動させることで実現するものである。上下移動は、例えば、支柱の伸縮によって行われる。回転移動は、例えば、本例と同様に、本体部１９を回転軸に取り付けて回転自在に取り付ける態様で行われるである。
【００９０】
［第２実施形態］
図１７〜図１９に示す第２実施形態は、第１スイッチ２７のロック解除機能が、第１実施形態と異なる。それ以外の点は第１実施形態と同じであるので説明を省略し、以下、相違点のみ説明する。
【００９１】
第１実施形態において第１バーハンドル２６に設けられる第１スイッチ２７は、図１１に示したとおり、ロック解除対象が上下ロックのみであったのに対して、第２実施形態の第１スイッチ２７は、図１７に示すとおり、ロック解除対象が上下ロックと回転ロックの両方である。そのため、図１８に示すように、第１スイッチ２７は、上下ロック機構３７に加えて、回転ロック機構４４とも接続されており、ロック解除指示はどちらにも入力可能になっている。
【００９２】
さらに、図１７に示すように、第２スイッチ２９のロック解除対象は、「上下ロック  ａｎｄ  回転ロック」となっているのに対して、第１スイッチ２７のロック解除対象は、「上下ロック  ａｎｄ／ｏｒ  回転ロック」となっている。「ａｎｄ」の表示は、上下ロックと回転ロックの両方が同時に解除されることを意味し、「ａｎｄ／ｏｒ」の表示は、上下ロックと回転ロックの両方を解除する場合と、上下ロックと回転ロックの一方のみを解除する場合を選択できることを意味する。
【００９３】
第１スイッチ２７は、操作に応じて、上下ロック解除指示のみが入力される第１状態、回転ロック解除指示のみが入力される第２状態、上下ロック解除指示および回転ロック解除指示の両方が入力される第３状態の少なくとも３つの状態を選択的に切り替えるスイッチである。このため、図１７において、第２スイッチ２９の「ａｎｄ」と区別して、「ａｎｄ／ｏｒ」と表示されている。
【００９４】
すなわち、第２スイッチ２９も、ロック解除対象が上下ロックと回転ロックの両方である点では、第１スイッチ２７と共通しているが、第２スイッチ２９は、１回の操作によって、上下ロック解除指示および回転ロック解除指示の両方を入力するスイッチであり、ロックを解除する際には、常に、上下ロックと回転ロックの両方が解除される。対して、第１スイッチ２７は、ロック解除状態について、上下ロックのみ解除、回転ロックのみ解除、上下ロックおよび回転ロックの両方を解除の３つの状態を選択できる点で、第２スイッチ２９と異なる。こうしたスイッチの機能の相違点を、図１７の表において、第２バーハンドル２８の第２スイッチ２９については、「上下ロック  ａｎｄ  回転ロック」と表示し、第１バーハンドル２６の第１スイッチ２７については、「上下ロック  ａｎｄ／ｏｒ  回転ロック」と表示して、両者を区別している。
【００９５】
第２実施形態の第１スイッチ２７のように、ロック解除状態について３つの状態を選択できれば、第１バーハンドル２６を把持しながら、本体部１９の上下移動操作だけでなく、回転移動操作を行うことも可能となる。第１バーハンドル２６を把持した状態でも、回転移動操作を行いたい場合もある。第２実施形態はこのような場合に有利である。
【００９６】
また、上下ロックと回転ロックの両方を解除する状態に加えて、上下ロックおよび回転ロックの一方のみを解除する状態も選択できるため、例えば、上下移動操作を行う際に不用意な回転を防止したい場合にも対応することができる。
【００９７】
第２実施形態の第１スイッチ２７のように、ロック解除状態について３つの状態を選択的に切り替えるスイッチは、例えば、図１９に示すようなスイッチの態様により実現することができる。図１９に示すスイッチは、例えば押圧操作などの操作を１回行う毎に、上下ロックと回転ロックの両方が掛かっている初期状態、上下ロック解除指示のみが入力される第１状態、回転ロック解除指示のみが入力される第２状態、上下ロック解除指示および回転ロック解除指示が入力される第３状態の３つのロック解除状態をサイクリックに切り替えるスイッチである。
【００９８】
複数の状態を切り替えるスイッチの態様としては、例えば、第１スイッチ２７を複数のスイッチで構成し、各スイッチにそれぞれ第１状態から第３状態のいずれかの状態を割り当てて、各スイッチの選択により複数の状態を選択できる態様でもよい。この場合には、例えば、上下ロックのみを解除する第１状態を選択するスイッチについては、第１バーハンドル２６において、他のスイッチよりも操作しやすい箇所に設けるなど、各スイッチの配置については適宜変更することも可能である。
【００９９】
このように第２実施形態においては、第１スイッチ２７と第２スイッチ２９の両方で、回転ロックの解除を行えるが、変形例として、第１スイッチ２７と第２スイッチ２９のそれぞれにおいてロック解除できる回動範囲を変えてもよい。例えば、第１スイッチ２７は、第１バーハンドル２６に設けられるスイッチであるため、上下移動操作に用いられることが主であると考えられる。一方、第２バーハンドル２８に設けられる第２スイッチ２９は、回転移動操作に用いられることが主と考えられる。そのため、補助的な回転移動操作に使用される第１スイッチ２７については、ロック解除できる回動範囲を、第２スイッチ２９でロック解除できる回動範囲よりも狭くする態様が考えられる。
【０１００】
また、第１スイッチは、上下移動操作に用いられることが主であることを考慮して、以下のようにしてもよい。例えば、第１スイッチを、上下ロックを解除するスイッチおよび回転ロックを解除するスイッチの複数のスイッチで構成する場合には、上下ロックを解除するスイッチを、回転ロックを解除するスイッチよりも操作しやすい位置に配置するなど、複数のスイッチの配置を、使用頻度に応じて決定してもよい。
【０１０１】
［第３実施形態］
上記第１実施形態および第２実施形態に限らず、第１スイッチ２７および第２スイッチ２９のロック解除機能の割り当てについては、様々な態様が考えられる。
【０１０２】
例えば、図２０に示す第３実施形態は、第１スイッチ２７および第２スイッチ２９ともに、第１実施形態の第２スイッチ２９と同様に、１回の操作によって、上下ロック解除指示および回転ロック解除指示の両方を入力するスイッチであり、ロックを解除する際には、常に、上下ロックと回転ロックの両方が解除される。このような態様でもよい。また、第２実施形態で説明したように、第３実施形態においても、第１スイッチ２７と第２スイッチ２９のそれぞれにおいてロック解除できる回動範囲を変えてもよい。
【０１０３】
［第４実施形態］
図２１に示す第４実施形態は、第１スイッチ２７および第２スイッチ２９ともに、第２実施形態の第１スイッチ２７と同様に、操作に応じて、上下ロック解除指示のみが入力される第１状態、回転ロック解除指示のみが入力される第２状態、上下ロック解除指示および回転ロック解除指示の両方が入力される第３状態の少なくとも３つの状態を選択的に切り替えるスイッチである。切り替えスイッチの態様としては、上述したとおり、図１９に示すようにサイクリックに状態が変化する態様でもよいし、あるいは、複数のスイッチで複数の状態を切り替えるものでもよい。
【０１０４】
［第５実施形態］
図２２に示す第５実施形態は、第１スイッチ２７のロック解除対象は、上下ロックのみで、第２スイッチ２９は、第４実施形態の第２スイッチ２９と同様に、操作に応じて、上下ロック解除指示のみが入力される第１状態、回転ロック解除指示のみが入力される第２状態、上下ロック解除指示および回転ロック解除指示の両方が入力される第３状態の少なくとも３つの状態を選択的に切り替えるスイッチである。
【０１０５】
［第６実施形態］
図２３に示す第６実施形態は、第１スイッチ２７については、第１実施形態の第２スイッチ２９と同様に、１回の操作によって、上下ロック解除指示および回転ロック解除指示の両方を入力するスイッチであり、ロックを解除する際には、常に、上下ロックと回転ロックの両方が解除される。第２スイッチ２９については、第５実施形態の第２スイッチ２９と同様である。
【０１０６】
上記実施形態では、第１スイッチと第２スイッチを両方設けた例で説明したが、少なくとも第１スイッチが設けられていればよい。また、第２バーハンドルを設けずに、第１バーハンドルのみを設けた形態でもよい。
【０１０７】
上記実施形態では、Ｘ線照射器１５を電子カセッテと組み合わせて使用しているが、電子カセッテの代わりに、画像記録媒体としてＸ線フィルムを使用するフィルムカセッテとＸ線照射器１５を組み合わせて使用することも可能である。
【０１０８】
本考案は、Ｘ線以外のγ線などの放射線を照射する放射線照射器にも適用可能である。また、本考案は、上記各実施形態に限定されるものではなく、上記各実施形態や各実施形態において示した変形例の組み合わせなど、考案の趣旨を逸脱しない範囲で適宜変更することが可能である。
【０１０９】
また、本考案の創作者は、上記Ｘ線照射器の意匠も創作した。以下、意匠について説明する。下記第１意匠は、本体部の側面の第２バーハンドルに設けた第２スイッチ（上記考案で説明した第２スイッチ２９）が、図２に示したパドル型スイッチの例である。一方、第２意匠は、第２スイッチが、図１６に示したセンサスイッチの例である。
【０１１０】
［第１意匠］
図２４〜図３３は第１意匠を示す。図２４は、Ｘ線照射器の上面、正面及び左側面を示す斜視図である。図２５はその正面図である。図２６はその背面図である。図２７はその平面図である。図２８はその底面図である。図２９はその左側面図である。図３０はその右側面図である。図３１は内部機構を省略したＢ−Ｂ線参考拡大断面図である。図３２は内部機構を省略したＡ−Ａ線参考拡大断面図である。図３３は使用状態参考図である。
【０１１１】
［意匠の簡単な説明］
１．製品の名称：Ｘ線照射器
２．用途：本製品は、医療目的で体内の画像を撮影するためのものである。
３．デザインのポイント：製品の外観形状である。
４．デザインの最も適切なポイントを示す図面：斜視図
５．その他；図３３は使用状態を示しており、Ｘ線照射器がスタンドに立設された支柱の上部に取り付けられている。Ｘ線照射器は、上下方向の移動、およびＸ線照射器の前後軸回りに回転できるようになっている。
［第１意匠に係る物品の説明］
本物品は、Ｘ線を受診者に照射して撮影するためのＸ線照射器で、操作部及びＸ線管球が一体に設けられている。本物品は、使用状態参考図に示すように、スタンドに立設された支柱の上部に照射野限定器（コリメータ）とともに配されている。
【０１１２】
［第２意匠］
図３４〜図４３は第２意匠を示す。図３４は、Ｘ線照射器の上面、正面及び左側面を示す斜視図である。図３５はその正面図である。図３６はその背面図である。図３７はその平面図である。図３８はその底面図である。図３９はその左側面図である。図４０はその右側面図である。図４１は内部機構を省略したＢ−Ｂ線参考拡大断面図である。図４２は内部機構を省略したＡ−Ａ線参考拡大断面図である。図４３は使用状態参考図である。
【０１１３】
［意匠の簡単な説明］
１．製品の名称：Ｘ線照射器
２．用途：本製品は、医療目的で体内の画像を撮影するためのものである。
３．デザインのポイント：製品の外観形状である。
４．デザインの最も適切なポイントを示す図面：斜視図
５．その他；図４３は使用状態を示しており、Ｘ線照射器がスタンドに立設された支柱の上部に取り付けている。Ｘ線照射器は、上下方向の移動、およびＸ線照射器の前後軸回りに回転できるようになっている。
［第２意匠に係る物品の説明］
本物品は、Ｘ線を受診者に照射して撮影するためのＸ線照射器で、操作部及びＸ線管球が一体に設けられている。本物品は、使用状態参考図に示すように、スタンドに立設された支柱の上部に照射野限定器（コリメータ）とともに配されている。
【符号の説明】
【０１１４】
２  線撮影システム
１１  Ｘ線発生装置
１２  電子カセッテ
１３  寝台
１５  Ｘ線照射器
１６  線源制御装置
１７  スタンド
１７Ａ  支柱
１７Ｂ  水平アーム
１８  Ｘ線管
１９  本体部
１９Ａ  正面
１９Ｂ  背面
１９Ｃ  上面
１９Ｄ  照射面
１９Ｅ  側面
１９Ｅ、１９Ｆ  側面
１９Ｇ  下端部
２１  照射野限定器
２１Ａ  入射開口
２２  ケーブル
２３  照射スイッチ
２４  照射開口
２５  インジケータ
２５Ａ  表示板
２５Ｃ  マーカ
２６  第１バーハンドル
２６Ａ  第１バー部
２６Ｂ  連結部
２６Ｃ  第１開口部
２７  第１スイッチ
２８  第２バーハンドル
２８Ａ  第２バー部
２８Ｂ  連結部
２８Ｃ  第２開口部
２９  第２スイッチ
３１  取り付け部
３２  上下移動機構
３３  滑車
３４  ベルト
３６  カウンタウェイト
３７  上下ロック機構
４１  回転機構
４２  回転軸
４３  軸受け部
４４  回転ロック機構
４６  押圧板
４７  スイッチ回路素子
５１  押圧板
５２  スイッチ回路素子
５６  センサ部
５７  透明窓
ＣＬ  中心線
Ｈ  被写体
ＨＤ  手
ＳＴ  医療スタッフ
【図１】
0003203885.tif 000003
【図２】
0003203885.tif 000004
【図３】
0003203885.tif 000005
【図４】
0003203885.tif 000006
【図５】
0003203885.tif 000007
【図６】
0003203885.tif 000008
【図７】
0003203885.tif 000009
【図８】
0003203885.tif 000010
【図９】
0003203885.tif 000011
【図１０】
0003203885.tif 000012
【図１１】
0003203885.tif 000013
【図１２】
0003203885.tif 000014
【図１３】
0003203885.tif 000015
【図１４】
0003203885.tif 000016
【図１５】
0003203885.tif 000017
【図１６】
0003203885.tif 000018
【図１７】
0003203885.tif 000019
【図１８】
0003203885.tif 000020
【図１９】
0003203885.tif 000021
【図２０】
0003203885.tif 000022
【図２１】
0003203885.tif 000023
【図２２】
0003203885.tif 000024
【図２３】
0003203885.tif 000025
【図２４】
0003203885.tif 000026
【図２５】
0003203885.tif 000027
【図２６】
0003203885.tif 000028
【図２７】
0003203885.tif 000029
【図２８】
0003203885.tif 000030
【図２９】
0003203885.tif 000031
【図３０】
0003203885.tif 000032
【図３１】
0003203885.tif 000033
【図３２】
0003203885.tif 000034
【図３３】
0003203885.tif 000035
【図３４】
0003203885.tif 000036
【図３５】
0003203885.tif 000037
【図３６】
0003203885.tif 000038
【図３７】
0003203885.tif 000039
【図３８】
0003203885.tif 000040
【図３９】
0003203885.tif 000041
【図４０】
0003203885.tif 000042
【図４１】
0003203885.tif 000043
【図４２】
0003203885.tif 000044
【図４３】
0003203885.tif 000045